(57)【要約】空中で結像するためのシステムであって、像源（１）、半透鏡（２）及び再帰反射素子（３）を備え、像源（１）から発せられた光線は、半透鏡（２）により反射されて再帰反射素子（３）に照射してから、再帰反射素子（３）で反射され後、元の入射経路に沿って逆方向に出射し、半透鏡（２）を透過して実像（４）を形成する。本システムを利用すると、いずれの媒体も介せずに、空気、さらに真空中に映像を直接表示することができる。【選択図】図１
2020513598.tif 000002
【特許請求の範囲】
【請求項１】
空中で結像するためのシステムであって、像源、半透鏡及び再帰反射素子を備え、
像源から発せられた光線は、半透鏡により反射されて再帰反射素子に照射してから、再帰反射素子で反射された後、元の入射経路に沿って逆方向に出射し、半透鏡を透過して実像を形成する、システム。
【請求項２】
前記再帰反射素子は、複数の再帰反射ユニットを備える、ことを特徴とする請求項１に記載のシステム。
【請求項３】
前記再帰反射ユニットは、反射面を有する微細構造体を備える、ことを特徴とする請求項２に記載のシステム。
【請求項４】
前記微細構造体は、透明材で形成された直角頂点微細構造体であって、当該直角頂点微細構造体が少なくとも１つの直角頂点を有するとともに当該直角頂点の３本の稜線が互いに直角をなしており、これらの３本の稜線のうち２つずつが交差してなる３つの面の、全面もしくは少なくとも一部の領域が反射面として形成される、ことを特徴とする請求項３に記載のシステム。
【請求項５】
前記微細構造体は、直角頂点微細構造体が含まれる凹部であって、当該直角頂点微細構造体が少なくとも１つの直角頂点を有するとともに当該直角頂点の３本の稜線が互いに直角をなしており、これらの３本の稜線のうち２つずつが交差してなる３つの面の、全面もしくは少なくとも一部の領域が反射面として形成される、ことを特徴とする請求項３に記載のシステム。
【請求項６】
前記微細構造体は、透明材で形成された球状微細構造体であって、当該球状微細構造体の前記半透鏡からより遠く離れる面が反射面として形成される、ことを特徴とする請求項３に記載のシステム。
【請求項７】
前記微細構造体の反射面は、前記再帰反射素子を載置可能な基材に付着され、又はそれと一体的に形成される、ことを特徴とする請求項３に記載のシステム。
【請求項８】
前記微細構造体の反射面以外の面は、前記再帰反射素子を載置可能な透明基材に付着され、又はそれと一体的に形成される、ことを特徴とする請求項４に記載のシステム。
【請求項９】
前記直角頂点の３本の稜線は、長さが等しい、ことを特徴とする請求項４に記載のシステム。
【請求項１０】
前記再帰反射素子は、半透鏡に向かって湾曲される曲率を有する、ことを特徴とする請求項１に記載のシステム。
【請求項１１】
前記再帰反射ユニットは、第１材と第２材のうちの少なくとも１つを備え、さらに反射面を備え、
前記第１材は、透明な実体材料であり、
前記第１材は、光線の入射経路から見るとき前記反射面の前方に位置しており、前記光線が第１材を介して入射した後、反射面で反射されてから、再び第１材から出射し、
前記第２材は、光線の入射経路から見るとき前記反射面の後方に位置する、ことを特徴とする請求項２に記載のシステム。
【請求項１２】
前記再帰反射ユニットは、第１材と第２材とを備え、さらに反射面を備え、
前記第１材は、空気又は真空であり、前記第２材は、フィルム、幕又は板材であり、
前記第１材は、光線の入射経路から見るとき前記反射面の前方に位置しており、前記光線が第１材を介して入射した後、反射面で反射されてから、再び第１材から出射し、
前記第２材は、光線の入射経路から見るとき前記反射面の後方に位置する、ことを特徴とする請求項２に記載のシステム。
【請求項１３】
前記第２材は、フィルム、幕又は板材である、ことを特徴とする請求項１１に記載のシステム。
【請求項１４】
前記反射面は、直角頂点の、互いに直角をなす３本の稜線のうち２つずつが交差してなる３つの面の、全面もしくは少なくとも一部の領域である、ことを特徴とする請求項１１に記載のシステム。
【請求項１５】
前記反射面は、球体表面の一部であり、前記球体の円心は、光線の入射経路から見るとき前記反射面の前方に位置する、ことを特徴とする請求項１１に記載のシステム。
【請求項１６】
前記直角頂点の３本の稜線は、最も長い稜線の長さが最も短い稜線の長さの１０倍以下である、ことを特徴とする請求項１４に記載のシステム。
【請求項１７】
前記再帰反射素子は、反射面を有する基材と、基材に分布される微細構造体とを備える、ことを特徴とする請求項１に記載のシステム。
【請求項１８】
前記微細構造体は透明材で形成された直角頂点微細構造体であって、当該直角頂点微細構造体が少なくとも１つの直角頂点を有するとともに当該直角頂点の３本の稜線が互いに直角をなす、ことを特徴とする請求項１７に記載のシステム。
【請求項１９】
前記微細構造体は、直角頂点微細構造体が含まれる凹部であって、当該直角頂点微細構造体が少なくとも１つの直角頂点を有するとともに当該直角頂点の３本の稜線が互いに直角をなす、ことを特徴とする請求項１７に記載のシステム。
【請求項２０】
前記微細構造体は、透明材で形成された球状微細構造体である、ことを特徴とする請求項１７に記載のシステム。
【請求項２１】
前記反射面は、前記基材の前記微細構造体に向けた面に形成され、あるいは、前記基材と前記微細構造体との境界領域に形成される、ことを特徴とする請求項１７に記載のシステム。
【請求項２２】
前記微細構造体と前記基材とは、同じ透明材で一体的に形成されており、前記直角頂点は外に突起し、前記反射面は前記直角頂点の３本の稜線のうち２つずつが交差してなる３つの面に形成される、ことを特徴とする請求項１８に記載のシステム。
【請求項２３】
前記微細構造体は、基材に均一に分布される、ことを特徴とする請求項１７に記載のシステム。
【請求項２４】
空中で結像するためのシステムであって、
像源、半透鏡及び再帰反射素子を備え、
像源から発せられた光線は、半透鏡を透過して再帰反射素子に照射してから、再帰反射素子で反射された後元の入射経路に沿って逆方向に出射し、半透鏡により反射されて実像を形成する、システム。
【請求項２５】
空中で結像するためのシステムであって、
像源、半透鏡、第１再帰反射素子、及び第２再帰反射素子を備え、
像源から発せられた光線は、半透鏡により反射されて第１再帰反射素子に照射してから、第１再帰反射素子で反射された後、元の入射経路に沿って逆方向に出射し、半透鏡を透過して第１実像を形成するのに加えて、
半透鏡を透過して第２再帰反射素子に照射してから、第２再帰反射素子で反射された後、元の入射経路に沿って逆方向に出射し、半透鏡により反射されて第２実像を形成する、システム。
【発明の詳細な説明】
【技術分野】
【０００１】
本発明は、ホログラフィックイメージングの分野に関し、より具体的には、空中で結像するためのシステムに関する。
【背景技術】
【０００２】
ホログラムは、干渉及び回折の原理に基づいて物体のリアルな３次元像を記録して再生する技術のことである。
【０００３】
従来のホログラフィックイメージング方法は、レーザ干渉の原理でホログラフィック画像を生成する。レーザ光源から発せられた光は、２つに分けられて、一方が感光材へ直接出射し、他方が被写体により反射されて感光材へ出射する。これらが感光材において重ね合わせて干渉させ、最終的に、デジタル画像の基本原理によって再生されたホログラフィック画像に対して更なる処理を行い、デジタルの干渉を除去して、鮮明なホログラフィック画像を得る。このような方法は、単色性に対する要件が高く、カラー画像の形成が実現しにくいという欠点がある。
【０００４】
従来のホログラフィックイメージング技術は、一般的に以下の３種類に分けられる。
【０００５】
第１種は、マイクロソフト社製のＨｏｌｏＬｅｎｓ等のような仮想現実又は拡張現実の眼鏡又はヘルメットを使用する必要がある。この技術は、補助器具が必要であるため、応用できるシーンが制限され、且つ現在では製造コストが高い。
【０００６】
第２種は、３次元像を実現するには、高速で回転する反射板および高速でリフレッシュするプロジェクタにより画像を当該反射板に投影する必要がある。特許文献ＣＮ１０５３７２９２６Ａには、このような技術を利用した回転式のホログラフィックプロジェクションションウィンドウが開示されている。このような技術はインタラクションを実現しにくく、且つ、場所空間に対する要件が非常に厳しい。
【０００７】
第３種は、水蒸気を含む空気のような微粒子が含まれている媒体を介して、水蒸気の液化により形成された小さな水滴において画像を投影し、不均衡な分子振動によって、階層性及び立体感が非常に高い画像を結像させることができる。特許文献ＣＮ１０４９７７７９４Ａ及びＣＮ１０３１１６４２２Ａには、このような技術を応用したことが開示されており、両方とも水蒸気幕ウォールによって空気中で画像を結像させる。このような技術を応用すると、水蒸気カーテンウォールを形成するための補助工具を配備する必要があり、従って、使用上にはあまり便利ではない。
【０００８】
要するには、以上の技術は、仮想現実又は拡張現実用の工具、高速で回転する反射板、又は空気中の蒸気微粒子に画像を結像させ、いずれも実質上に空中で画像を結像させることではない。
【発明の概要】
【０００９】
本発明の目的は、上記した技術の欠陥を克服し、いずれの特別な媒体を介さずに空気中さらには真空中で直接画像を結像させることを可能にする実質的な空中で画像を結像させるシステム及び方法を提供することである。これにより、応用範囲を大幅に拡大させて、補助工具に制限されず、且つ現在のマン−マシンインタラクションのシーンに革命的な突破をもたらす。
【００１０】
本発明の主な態様によれば、空中で結像するためのシステムを提供し、像源、半透鏡及び再帰反射素子を備え、
像源から発せられた光線は、半透鏡により反射されて再帰反射素子に照射してから、再帰反射素子で反射された後、元の入射経路に沿って逆方向に出射し、半透鏡を透過して実像を形成する。
【００１１】
本発明の別の主な態様によれば、空中で結像するためのシステムを提供し、像源、半透鏡及び再帰反射素子を備え、
像源から発せられた光線は、半透鏡を透過して再帰反射素子に照射してから、再帰反射素子で反射されて元の入射経路に沿って逆方向に出射し、半透鏡により反射されて実像を形成する。
【００１２】
本発明のまた別の主な態様によれば、空中で結像するためのシステムを提供し、像源、半透鏡、第１再帰反射素子、及び第２再帰反射素子を備え、
像源から発せられた光線は、半透鏡により反射されて第１再帰反射素子に照射してから、第１再帰反射素子で反射された後、元の入射経路に沿って逆方向に出射し、半透鏡を透過して第１実像を形成するのに加えて、
半透鏡を透過して第２再帰反射素子に照射してから、第２再帰反射素子で反射された後、元の入射経路に沿って逆方向に出射し、半透鏡により反射されて第２実像を形成する、システム。
【００１３】
本発明のまた別の主な態様によれば、空中で結像するためのシステムを提供し、第１像源、第２像源、半透鏡及び再帰反射素子を備え、
第１像源から発せられた光線は、半透鏡により反射されて再帰反射素子に照射してから、再帰反射素子で反射された後、元の入射経路に沿って逆方向に出射し、半透鏡を透過して第１実像を形成し、
第２像源から発せられた光線は、半透鏡を透過して再帰反射素子に照射してから、再帰反射素子で反射されて元の入射経路に沿って逆方向に出射し、半透鏡により反射されて実像を形成し、且つ、
第１像源と第２像源の位置は、第１実像と第２実像を同じ位置に形成するように設置される。
【００１４】
好ましくは、像源は、虚像又は実像を出す結像表示装置であり、又はこれらの結像表示装置によって形成された虚像又は実像である。
【００１５】
好ましくは、像源の光源はレーザ、発光ダイオード、有機発光ダイオード、励起蛍光発光材料のうちの一種又は複数種である。
【００１６】
好ましくは、半透鏡の透過率の範囲は２０％〜８０％である。
【００１７】
好ましくは、半透鏡の反射率の範囲は２０％〜８０％である。
【００１８】
好ましい実施態様では、再帰反射素子は、反射面を有する基材と、基材に分布される微細構造体とを備える。
【００１９】
好ましくは、微細構造体は、透明材で形成された直角頂点微細構造体であって、当該直角頂点微細構造体が少なくとも１つの直角頂点を有するとともに当該直角頂点の３本の稜線が互いに直角をなす。
【００２０】
好ましくは、微細構造体は、直角頂点微細構造体が含まれる凹部であり、当該直角頂点微細構造体が少なくとも１つの直角頂点を有するとともに当該直角頂点の３本の稜線が互いに直角をなす。
【００２１】
好ましくは、微細構造体は、透明材で形成された球状微細構造体である。
【００２２】
好ましくは、反射面は、前記基材の前記微細構造体に向けた面に形成される。
【００２３】
好ましくは、反射面は、前記基材と前記微細構造体との境界領域に形成される。
【００２４】
好ましくは、微細構造体と前記基材とは、同じ透明材で一体的に形成されており、前記直角頂点が外に突起し、前記反射面が前記直角頂点の３本の稜線のうち２つずつが交差してなる３つの面に形成される。
【００２５】
好ましくは、微細構造体は、基材に均一に分布される。
【００２６】
好ましくは、前記基材は、フィルム、幕又は板材である。
【００２７】
また別の好ましい実施態様では、再帰反射素子は、複数の再帰反射ユニットを備える。
【００２８】
好ましくは、再帰反射ユニットは、反射面を有する微細構造体を備える。
【００２９】
好ましくは、微細構造体は、透明材で形成された直角頂点微細構造体であって、当該直角頂点微細構造体が少なくとも１つの直角頂点を有するとともに当該直角頂点の３本の稜線が互いに直角をなしており、これらの３本の稜線のうち２つずつが交差してなる３つの面の、全面もしくは少なくとも一部の領域が反射面として形成される。
【００３０】
好ましくは、微細構造体は、直角頂点微細構造体が含まれる凹部であって、当該直角頂点微細構造体が少なくとも１つの直角頂点を有するとともに当該直角頂点の３本の稜線が互いに直角をなしており、これらの３本の稜線のうち２つずつが交差してなる３つの面の、全面もしくは少なくとも一部の領域が反射面として形成される。
【００３１】
好ましくは、微細構造体は、透明材で形成された球状微細構造体であって、当該球状微細構造体の前記半透鏡からより遠く離れる表面が反射面として形成される。
【００３２】
好ましくは、微細構造体の反射面は、前記再帰反射素子を載置可能な基材に付着され、又はそれと一体的に形成される。
【００３３】
好ましくは、微細構造体の反射面以外の面は、前記再帰反射素子を載置可能な透明基材に付着され、又はそれと一体的に形成される。
【００３４】
また別の好ましい実施態様では、再帰反射素子は、複数の再帰反射ユニットを備える。
【００３５】
好ましくは、再帰反射ユニットは、第１材と第２材のうちの一種を備え、当該再帰反射ユニットはさらに反射面を備え、
第１材は、透明な実体材料であり、
第１材は、光線の入射経路から見るとき反射面の前方に位置し、光線が第１材を介して入射した後、反射面で反射されてから、再び第１材から出射し、
第２材は、光線の入射経路から見るとき反射面の後方に位置する。
【００３６】
好ましくは、再帰反射ユニットは、第１材と第２材とを備え、さらに反射面を備え、
第１材は、空気又は真空であり、第２材は、フィルム、幕又は板材であり、
第１材は、光線の入射経路から見るとき反射面の前方に位置しており、光線が第１材を介して入射した後、反射面で反射されてから、再び第１材から出射し、
第２材は、光線の入射経路から見るとき反射面の後方に位置する。
【００３７】
好ましくは、反射面は、互いに直角をなす３本の稜線のうち２つずつが交差してなる３つの面の、全面もしくは少なくとも一部の領域である。
【００３８】
好ましくは、反射面は、球体表面の一部であり、前記球体の円心は、光線の入射経路から見るとき前記反射面の前方に位置する。
【００３９】
好ましくは、第２材はフィルム、幕又は板材である。
【００４０】
好ましくは、直角頂点の３本の稜線は、長さが等しい。
【００４１】
好ましくは、反射面には高反射材料が付着されている。
【００４２】
好ましくは、高反射材料の反射率は６０％、７０％、８０％又は９０％以上に達する。
【００４３】
好ましくは、高反射材料は、スプレー又はメッキの方式で反射面に付着される。
【００４４】
好ましくは、再帰反射素子は、半透鏡に向かって湾曲される曲率を有する。
【００４５】
好ましくは、微細構造体は、再帰反射素子に均一に分布される。
【００４６】
好ましくは、像源は立体像源である。
【００４７】
好ましくは、立体像源が、三次元の画像、構造及びビデオ源を表示できる三次元立体表示装置である。
【００４８】
好ましくは、三次元立体表示装置は、並進走査型結像システム又は回転走査型結像システムを含む。
【００４９】
好ましくは、半透鏡の２つの面のうち一方の面には半透過材料が付着されて、反射率が２０％−８０％、対応する透過率が８０％−２０％になるようにする。
【００５０】
好ましくは、半透鏡の２つの面のうち半透過材料が付着されていない面には、反射防止材料が付着されている。
【００５１】
好ましくは、３本の稜線の長さは２０ミクロン〜５ミリメートルである。
【００５２】
好ましくは、３本の稜線のうち、最も長い稜線の長さは、最も短い稜線の長さの１０倍以下である。
【００５３】
好ましくは、第１材が透明な実体材料である場合、その入射面には反射防止材料が付着されている。
【００５４】
好ましくは、第１材が透明な実体材料である場合、その入射面が平面である。
【００５５】
好ましくは、３本の稜線により形成された３つの面のうちの少なくとも１つと入射面となす角度が５４度未満である。
【００５６】
本発明の主な態様によれば、空中で結像するための方法を提供し、
像源、半透鏡及び再帰反射素子を提供するステップ（１）と、
像源から発せられた光線を、半透鏡により反射させて、再帰反射素子に照射させるステップ（２）と、
光線を、再帰反射素子で反射させてから、元の入射経路に沿って逆方向に出射させ、再び半透鏡を透過させて実像を形成するステップ（３）とを含む。
【００５７】
本発明の別の主な態様によれば、空中で結像するための方法を提供し、
像源、半透鏡及び再帰反射素子を提供するステップ（１）と、
像源から発せられた光線を半透鏡を透過させて、再帰反射素子に照射させるステップ（２）と、
光線を、再帰反射素子で反射させてから、元の入射経路に沿って逆方向に出射させ、半透鏡により反射させて実像を形成するステップ（３）とを含む。
【００５８】
本発明のまた別の主な態様によれば、空中で結像するための方法を提供し、
像源、半透鏡、第１再帰反射素子、及び第２再帰反射素子を提供するステップ（１）と、
像源から発せられた光線を、半透鏡により反射させて、第１再帰反射素子に照射させるのに加えて、半透鏡を透過させて、第２再帰反射素子に照射させるステップ（２）と、
光線を、第１再帰反射素子で反射させて、元の入射経路に沿って逆方向に出射させ、半透鏡を透過させて第１実像を形成するのに加えて、第２再帰反射素子で反射させてから、元の入射経路に沿って逆方向に出射させ、半透鏡により反射させて第２実像を形成するステップ（３）とを含む。
【００５９】
本発明のまた別の主な態様によれば、空中で結像するための方法を提供し、
第１像源、第２像源、半透鏡、及び再帰反射素子を提供するステップ（１）と、
第１像源から発せられた光線を半透鏡により反射させて再帰反射素子に照射させ、且つ、第２像源から発せられた光線を半透鏡を透過させて再帰反射素子に照射させるステップ（２）と、
第１像源から発せられた光線を再帰反射素子で反射させてから元の入射経路に沿って逆方向に出射させ、半透鏡を透過させて第１実像を形成し、且つ、第２像源から発せられた光線を再帰反射素子で反射させてから元の入射経路に沿って逆方向に出射させ、半透鏡により反射させて第２実像を形成するステップ（３）と、
第１像源と第２像源の位置を、第１実像と第２実像を同じ位置に形成するように設置するステップ（４）とを含む。
【００６０】
本発明は、たとえば再帰反射フィルムと半透鏡の組合せを先駆的に使用して、虚像を実像に変換することにより、空中での結像を実現する。本発明は、いずれの媒体（たとえばスクリーン、微粒子を含む気体又は液体等）も介さずに空気さらには真空中に映像を直接表示することができ、ヘルメット、眼鏡等の他の補助装置を介さずに多人が同時に映像を見ることができ、また画像が空中に浮かんでいるので、手で直接触れることにより、非常に多いインタラクティブアプリケーションをもたらすことができる、といった利点を有する。
【図面の簡単な説明】
【００６１】
本発明の実施例又は従来技術の技術案をより明瞭に説明するために、以下では実施例又は従来技術の説明に必要となる図面を簡単に説明する。なお、後述する図面は単に本発明の一部の実施例を説明するためのものである。これらは本発明を限定するものではなく、例示的なものである。
【図１】本発明の１つの実施形態による結像システムを概略的に示す。
【図２】本発明の別の実施形態による結像システムを概略的に示す。
【図３】本発明の１つの実施形態による再帰反射素子を概略的に示す。
【図４】本発明の１つの実施形態による再帰反射素子の微細構造体及び再帰反射経路を概略的に示す模式図である。
【図５】本発明の別の実施形態による再帰反射素子を概略的に示す。
【図６Ａ】本発明の別の実施形態による再帰反射素子の微細構造体及び再帰反射経路を概略的に示す模式図である。
【図６Ｂ】本発明の別の実施形態による再帰反射素子の微細構造体及び再帰反射経路を概略的に示す模式図である。
【図６Ｃ】本発明の別の実施形態による再帰反射素子の微細構造体及び再帰反射経路を概略的に示す模式図である。
【図７】本発明のまた別の実施形態による再帰反射素子を概略的に示す。
【図８】本発明のまた別の実施形態による再帰反射素子の微細構造体及び再帰反射経路を概略的に示す模式図である。
【図９】本発明の一実施形態による再帰反射素子の微細構造体の分布を概略的に示す上面図である。
【発明を実施するための形態】
【００６２】
本発明は、その目的、技術案及び利点をより明瞭にするために、以下では図面を参照しながらさらに詳細に説明する。
【００６３】
本発明は、説明を簡潔且つ直感的にするために、以下ではいくつかの代表的な実施形態を基づいて説明する。実施形態における複数の詳細は本発明の技術案を理解するためのものに過ぎない。なお、本発明の技術案を実現する際には、これらの詳細に限定されなくてもよい。いくつかの実施形態は、本発明の技術案を不必要に暈させることを回避するように詳細に説明されず、枠組みのみが与えられる。以下では、「含む」とは「…含むがこれに限定されない」と意味し、「に基づく」とは「少なくとも…に基づくが、…のみに基づくことに限定されない」と意味する。「第１」、「第２」等は特徴を示すためのみに用いられ、順序上の限定など、当該特徴を何らかに限定することは意図していない。以下では、中国語の言語習慣のため、１つの構成要素の数は、特に示さない場合、１つでもよく複数でもよいことを意味し、又は少なくとも１つとして理解されてもよい。
【００６４】
図１は本発明の１つの実施形態による結像システムを示す。当該システムは、図に示すように、像源１、半透鏡２及び再帰反射素子３を備え半透鏡２が位置する平面によって空間を第１半領域Ｉと第２半領域ＩＩに区分し、像源１及び再帰反射素子３はいずれも第１半領域Ｉに位置する。
【００６５】
そのうち、像源１から発せられた光線は、半透鏡２により反射されて再帰反射素子３に照射してから、再帰反射素子３で再帰反射されることにより、再帰反射素子３での反射光線が入射光線と同じ経路に位置し、その方向が反対である。従って、光線が再帰反射素子３により反射された後に元の入射経路に沿って出射し（勿論、微視的な観点から、反射経路と入射経路はわずかにずれていると考えることができるが、巨視的な観点から、その二本の経路は完全に重なると考えることができる）、半透鏡を透過した後、第２半領域ＩＩに実像４を形成する。
【００６６】
像源１は結像表示装置でもよいし、又はこれらの結像表示装置により形成された虚像又は実像でもよい。
【００６７】
たとえば、結像表示装置は、バックライト光源がレーザ、発光ダイオード、有機発光ダイオード、励起蛍光発光材料、量子ドット励起光源のうちの一種又は複数種を含む液晶スクリーンであってもよく、ＬＥＤ、ＯＬＥＤ、プラズマ発光点等の発光点光源からなる能動発光型ドットマトリクススクリーンであってもよく、ＤＬＰ、ＬＣＯＳ、ＬＣＤ等の投影技術に基づいて、ＬＥＤ、ＯＬＥＤ、レーザ、蛍光等の光源又はそれらの組合せによって駆動され、ＤＭＤ、ＬＣＯＳ、ＬＣＤ等の表示パネルによって反射又は透過され、さらに投影レンズを介して投影スクリーン上に投影して結像させる投影型の結像システムであってもよく、レーザビームがスクリーン上に走査して結像させる投影型の結像システムであってもよい。そして、以上に記載されるすべての結像表示装置により一回又は複数回屈折又は反射によって形成された実像又は虚像も像源としてもよい。
【００６８】
好ましい実施形態では、像源１は立体像源であってもよい。立体像源は３Ｄ立体画像、構造及びビデオ源を表示できる三次元立体表示装置を含む。一般的に、このような三次元立体表示装置は制御モジュールと高速投影モジュール又は高速表示モジュールとを備え、観察者が三次元立体の画像、構造又はビデオを視認することできるように、制御モジュールにより投影モジュール又は表示モジュールを制御して一連の２Ｄ画像スライスを複数の光学平面に高速に投影し又は表示する。三次元立体表示装置は、並進走査型結像システム、回転走査型結像システム等を含む。
【００６９】
半透鏡は、たとえば、ＰＣ樹脂、ＰＥＴ樹脂、ＰＭＭＡ樹脂、ガラス、石英等の各種の適切な透明な材料で製造されてもよい。その透過率が２０％−８０％であり、好ましくは約５０％であり、その反射率も２０％−８０％であり、好ましくは約５０％である。
【００７０】
再帰反射素子３は、好ましくは、微細構造体が分布されているフィルム、幕又は板材であり、結像された画像の輝度を増加させるように、半透鏡に向って湾曲される所定の曲率を有することは最適である。以下、再帰反射素子３について詳細に説明する。
【００７１】
図２に示すように、本発明の別の実施形態では、システムは、像源１、半透鏡２及び再帰反射素子３を備え、半透鏡２が位置する平面によって空間を第１半領域Ｉと第２半領域ＩＩに区分し、像源１は第１半領域Ｉに位置するが、再帰反射素子３は第２半領域ＩＩに位置する。
【００７２】
そのうち、像源１から発せられた光線は半透鏡２を透過して再帰反射素子３に照射し、再帰反射素子３で再帰反射されることにより、再帰反射素子３での反射光線が入射光線と同じ経路に位置し、その方向が異なる。従って、光線が再帰反射素子３により反射された後に元の入射経路に沿って出射し、半透鏡によって反射された後、第２半領域ＩＩに実像４を形成する。
【００７３】
なお、光が波動・粒子二重性を有するため、光線は再帰反射素子３から反射されるとき、一定の回折効果を起こす、反射光には一定の発散角を発生させる。この点から理解する場合、反射光の主軸が入射光方向と反対であれば、本発明における「再帰反射」のことを満たす。
【００７４】
この実施形態では、像源１から発せられた光線は半透鏡２を透過（反射ではない）して再帰反射素子３に到達する。そして、再帰反射素子３により反射された光線がさらに半透鏡２により反射（透過せず）されて実像４を生成する。最終的に形成された実像４は再帰反射素子３と異なる半領域ではなく同じ半領域に位置する。
【００７５】
本発明のまた別の実施形態では（図示せず）、上記２つの実施形態を組み合せて、２つの再帰反射素子を用いる。像源から発せられた光線は半透鏡により反射されて一方の再帰反射素子に到達し、そして、当該再帰反射素子により反射された光線はさらに半透鏡を透過して実像を生成する。像源から発せられた光線は半透鏡を透過して他方の再帰反射素子に到達し、そして、当該他方の再帰反射素子により反射された光線がさらに半透鏡により反射されて実像を生成する。このようにして形成された２つの実像は重なり、それにより、輝度がより高い画像を得る。
【００７６】
なお、勿論、他の実施形態では、追加的又は代替的に、２つの像源を使用することができる。この場合、最終的に形成される実像が空間中で重なるように、この２つの像源と半透鏡及び再帰反射素子の位置を調整する必要がある。
【００７７】
本発明における再帰反射素子は、特別な処理が行われた素子であり、たとえば高反射塗層が塗布された基材、及びたとえば基材に均一に分布された再帰反射微細構造体を含む。当該高反射塗層の反射率は６０％以上であり、好ましくは、７０％、８０％又は９０％以上である。なお、当該高反射塗層は、メッキのような他の方式で基材に付着されてもよい。
【００７８】
勿論、当該高反射塗層は、たとえば、微細構造体の基材に向ける面に付着されてもよく、又は微細構造体と基材との境界領域に付着されてもよい。
【００７９】
なお、基材に分布された再帰反射微細構造体は、その分布が不均一であってもよいが、均一であればより良好な結像効果を有する。但し、いくつかの意図的に設置された不均一な分布は特殊の結像の目的に用いられる。
【００８０】
図３は、本発明の１つの実施形態による再帰反射素子を示す。当該再帰反射素子３は基材３０とするフィルム又は幕を含む。基材３０に高反射塗層が塗布されている。また、基材３０にさらに球状微細構造体３１が均一に分布している。
【００８１】
図４は、球状微細構造体の拡大図及び再帰反射経路の模式図を示す。
【００８２】
光線は半透鏡から球状微細構造体３１の上表面によって屈折された後に基材３０の高反射塗層へ照射し、反射された後、球状微細構造体３１の上表面に戻り、再び屈折されて半透鏡へ出射する。光線は、球状微細構造体３１の構造によりほとんど元の経路に沿って半透鏡に戻ることができる（前述のように、巨視的な観点から、光線が元の経路に沿って戻ると考えることができる）。
【００８３】
図５は、本発明のまた別の実施形態による再帰反射素子を示す。当該再帰反射素子３の基材３０にはさらに直角頂点微細構造体３１’が均一に分布している。直角頂点微細構造体３１’は、基材３０に嵌め込まれた少なくとも１つの頂点を有するとともに当該頂点の３本の稜線が互いに直角をなす透明な微細構造体であってもよく、たとえば、微細立方体又は微細直方体、又はそれらの少なくとも１つの頂点を含む一部である。勿論、当該少なくとも１つの頂点が基材３０に嵌め込まれている（図６Ａ参照）。いくつかの実施形態では、直角頂点微細構造体３１’は３本の稜線が互いに直角をなす微細三角錐体であり、その頂点が基材３０に嵌め込まれており（図６Ｂ参照）、好ましくは、頂点に相対する底面は基材３０と同じ水平面にあり、より好ましくは、当該底面には反射防止膜が付着している。より好ましい実施形態では、当該底面は、３本の稜線で形成された３つの面のうち、少なくとも１つとなす角度が５４度未満である。
【００８４】
なお、これらの３本の稜線は、それらの長さが等しいであってもよく、勿論、異なってもよい。稜線の長さは２０ミクロン〜５ミリメートルから選択可能である。好ましくは、３本の稜線のうち、最も長い稜線の長さは最も短い稜線の長さの１０倍以下である。
【００８５】
なお、３本の稜線で形成された３つの面も相互に垂直であるべきであり、すなわち３つの面のうち、いずれの二つの面が互いになす角度が９０度であるべきである。ただし、プロセスの制約により、これらの角度の大きさが正確に９０度ではなく、加工の許可誤差範囲内、たとえば＋−２分であっても、本発明の要件を満たすことができる。
【００８６】
別の実施形態では、当該直角頂点微細構造体３１’は基材３０に上記微細構造体の１つの頂点の一部をエンボス加工することにより形成された凹部であってもよい（図６Ｃ参照）。
【００８７】
図６Ａ、図６Ｂ及び図６Ｃは、図５における直角頂点微細構造体の拡大図及び再帰反射経路の模式図を示す。図６Ａ及び図６Ｂに示される実施形態では、直角頂点微細構造体３１’は透明な微細構造体である。光線は半透鏡から直角頂点微細構造体３１’の入射表面（たとえば上表面）によって屈折された後にフィルム又は幕３０の高反射塗層へ照射し、３回反射された後、直角頂点微細構造体３１’の出射表面（たとえば上表面）に戻り、再び屈折されて半透鏡へ出射する。図６Ｃに示される実施形態では、直角頂点微細構造体３１’は凹部であり、光線は半透鏡によって透過し又は反射されて凹部に直接入射し、３回反射された後、半透鏡へ出射する。光線は、直角頂点微細構造体３１’の構造によりほとんど元の経路に沿って半透鏡に戻ることができる（同様に、巨視的な観点から、光線が元の経路に沿って戻ると考えることができる）。
【００８８】
図７は本発明のまた別の実施形態の再帰反射素子を示す。当該再帰反射素子３の基材３０’には、直角頂点微細構造体３１’が均一に分布されている。基材３０’自体は透明なものであり、直角頂点微細構造体３１’も透明なものである。直角頂点微細構造体３１’の基材３０’から離れる面には高反射塗層が塗布されている。
【００８９】
好ましくは、直角頂点微細構造体３１’は、基材３０’と一体的に形成され、勿論、別々に製造された後、基材３０’に付着してもよい。基材３０’は、その材料は直角頂点微細構造体３１’と同じであり、又は、少なくとも直角頂点微細構造体３１’と同じ屈折率を有することが好ましい。
【００９０】
図８は図７における直角頂点微細構造体の拡大図及び再帰反射経路の模式図を示す。光線は半透鏡から基材３０’の上表面によって屈折された後に直角頂点微細構造体３１’の高反射塗層へ照射し、３回反射された後、基材３０’の上表面に照射して戻され、再び屈折されて半透鏡へ出射する。光線は、直角頂点微細構造体３１’の構造によりほとんど元の経路に沿って半透鏡に戻ることができる（前述のように、巨視的な観点から、光線が元の経路に沿って戻ると考えることができる）。
【００９１】
図９は、微細構造体の分布状況をより良好に理解するように、本発明の１つの実施形態による再帰反射素子における微細構造体の分布を概略的に示す上面図である。図に示すように、複数の微細構造体は、順に互いに隣接して分布しており、再帰反射素子に沿って延びている。なお、図において再帰反射素子の一部のみが示されており、微細構造体は、再帰反射素子全体においてこのような分布をしてもよい。また、微細構造体は、本図では略直方体状の凹部であるが、その形状がこれに限定されず、上記のようないずれの微細構造体であってもよいことが理解すべきである。
【００９２】
なお、本発明において、多くの場合、再帰反射素子における反射面（たとえば、高反射塗層が塗布されている面）を基材に付着しているものとして説明したが、反射面が微細構造体に付着しているものであると考えてもよい。たとえば、再帰反射素子を複数の再帰反射ユニットに分割してもよく、各再帰反射ユニットはいずれも反射面を有する微細構造体を備え、微細構造体は前述した球状微細構造体又は直角頂点微細構造体であってもよい。又は、さらに反射面を１つの独立構造ユニットとして説明してもよい。たとえば、各再帰反射ユニットはいずれも反射面と、反射面を付着可能とする第１材及び第２材のうちの少なくとも１つとを備え、反射面は前述した微細構造体の１つ又は複数の面で形成されてもよい。
【００９３】
本発明によれば、ヘルメット等の補助装置も、結像スクリーンや空気中の微粒子媒体も使用せずに、空気中、さらに真空中で直接結像することができる。本質的な空中結像技術である。形成された像が空気に浮かんでいるので、大量のインタラクションと応用を作り出すことができ、画期的な意義がある。
【００９４】
なお、開示されている実施例の上記説明に基づき、当業者は本発明を実現し又は使用することができる。ただし、特に説明しない限り、以上の実施例に開示されている特徴は、単独で又は組み合わせて使用できる。これらの実施例に対する様々の変更は当業者にとって自明なものであり、本明細書に定義された一般的な原理は本発明の主旨又は範囲を逸脱せずに、他の実施例において実現可能である。従って、本明細書に開示されている本発明は、開示されている具体的な実施例に限定されるものではなく、添付の請求項の範囲に限定された本発明の主旨及び範囲に属する変更を含むことを意図する。
【図１】
2020513598.tif 000003
【図２】
2020513598.tif 000004
【図３】
2020513598.tif 000005
【図４】
2020513598.tif 000006
【図５】
2020513598.tif 000007
【図６Ａ】
2020513598.tif 000008
【図６Ｂ】
2020513598.tif 000009
【図６Ｃ】
2020513598.tif 000010
【図７】
2020513598.tif 000011
【図８】
2020513598.tif 000012
【図９】
2020513598.tif 000013
【手続補正書】
【提出日】令和1年6月25日(2019.6.25)
【手続補正１】
【補正対象書類名】特許請求の範囲
【補正対象項目名】全文
【補正方法】変更
【補正の内容】
【特許請求の範囲】
【請求項１】
空中で結像するためのシステムであって、像源、半透鏡及び再帰反射素子を備え、
像源から発せられた光線は、半透鏡により反射されて再帰反射素子に照射してから、再帰反射素子で反射された後、元の入射経路に沿って逆方向に伝送し、半透鏡を透過して実像を形成する、システム。
【請求項２】
前記再帰反射素子は、複数の再帰反射ユニットを備える、ことを特徴とする請求項１に記載のシステム。
【請求項３】
前記再帰反射ユニットのそれぞれは、反射面を有する微細構造体を備える、ことを特徴とする請求項２に記載のシステム。
【請求項４】
前記微細構造体は、透明材で形成された直角頂点微細構造体を含んで、当該直角頂点微細構造体が少なくとも１つの直角頂点を有するとともに当該直角頂点微細構造体の、直角頂点に交差した３本の稜線が互いに直角をなしており、これらの３本の稜線のうち２つずつが交差してなる３つの面の、全面もしくは少なくとも一部の領域が反射面として形成される、ことを特徴とする請求項３に記載のシステム。
【請求項５】
前記微細構造体は、直角頂点微細構造体が含まれる凹部であって、当該直角頂点微細構造体が少なくとも１つの直角頂点を有するとともに当該直角頂点微細構造体の、直角頂点に交差した３本の稜線が互いに直角をなしており、これらの３本の稜線のうち２つずつが交差してなる３つの面の、全面もしくは少なくとも一部の領域が反射面として形成される、ことを特徴とする請求項３に記載のシステム。
【請求項６】
前記微細構造体は、透明材で形成された球状微細構造体であって、当該球状微細構造体の、前記半透鏡から離れる面が反射面として形成される、ことを特徴とする請求項３に記載のシステム。
【請求項７】
前記微細構造体の反射面は、前記再帰反射ユニットを載置するように配置される基材に付着され、又はそれと一体的に形成される、ことを特徴とする請求項３に記載のシステム。
【請求項８】
前記微細構造体の反射面以外の面は、前記再帰反射ユニットを載置可能な透明基材に付着され、又はそれと一体的に形成される、ことを特徴とする請求項４に記載のシステム。
【請求項９】
前記直角頂点微細構造体の、直角頂点に交差した３本の稜線は、長さが等しい、ことを特徴とする請求項４に記載のシステム。
【請求項１０】
前記再帰反射素子は、半透鏡に向かって湾曲される曲率を有する、ことを特徴とする請求項１に記載のシステム。
【請求項１１】
前記再帰反射ユニットのそれぞれは、第１材と第２材のうちの少なくとも１つを備え、さらに反射面を備え、
前記第１材は、透明な実体材料であり、
前記第１材は、光線の入射経路から見るとき前記反射面の前方に位置しており、前記光線が第１材を介して前記再帰反射ユニットに入射した後、反射面で反射されてから、再び第１材から出射し、
前記第２材は、光線の入射経路から見るとき前記反射面の後方に位置する、ことを特徴とする請求項２に記載のシステム。
【請求項１２】
前記再帰反射ユニットのそれぞれは、第１材と第２材とを備え、さらに反射面を備え、
前記第１材は、空気又は真空であり、前記第２材は、フィルム、幕又は板材であり、
前記第１材は、光線の入射経路から見るとき前記反射面の前方に位置しており、前記光線が第１材を介して前記再帰反射ユニットに入射した後、反射面で反射されてから、再び第１材から出射し、
前記第２材は、光線の入射経路から見るとき前記反射面の後方に位置する、ことを特徴とする請求項２に記載のシステム。
【請求項１３】
前記第２材は、フィルム、幕又は板材である、ことを特徴とする請求項１１に記載のシステム。
【請求項１４】
前記反射面は、直角頂点に交差した、互いに直角をなす３本の稜線のうち２つずつが交差してなる３つの面の、全面もしくは少なくとも一部の領域である、ことを特徴とする請求項１１に記載のシステム。
【請求項１５】
前記反射面は、球体表面の一部であり、前記球体の円心は、光線の入射経路から見るとき前記反射面の前方に位置する、ことを特徴とする請求項１１に記載のシステム。
【請求項１６】
前記直角頂点に交差した３本の稜線は、最も長い稜線の長さが最も短い稜線の長さの１０倍以下である、ことを特徴とする請求項１４に記載のシステム。
【請求項１７】
前記再帰反射素子は、反射面を有する基材と、基材に分布される微細構造体とを備える、ことを特徴とする請求項１に記載のシステム。
【請求項１８】
前記微細構造体は透明材で形成された直角頂点微細構造体であって、当該直角頂点微細構造体が少なくとも１つの直角頂点を有するとともに当該直角頂点微細構造体の、直角頂点に交差した３本の稜線が互いに直角をなす、ことを特徴とする請求項１７に記載のシステム。
【請求項１９】
前記微細構造体は、直角頂点微細構造体が含まれる凹部であって、当該直角頂点微細構造体が少なくとも１つの直角頂点を有するとともに当該直角頂点微細構造体の、直角頂点に交差した３本の稜線が互いに直角をなす、ことを特徴とする請求項１７に記載のシステム。
【請求項２０】
前記微細構造体は、透明材で形成された球状微細構造体である、ことを特徴とする請求項１７に記載のシステム。
【請求項２１】
前記反射面は、前記基材の前記微細構造体に向けた面に形成され、あるいは、前記基材と前記微細構造体との境界領域に形成される、ことを特徴とする請求項１７に記載のシステム。
【請求項２２】
前記微細構造体と前記基材とは、同じ透明材で一体的に形成されており、前記直角頂点は外に突起し、前記反射面は前記直角頂点微細構造体の３本の稜線のうち２つずつが交差してなる３つの面に形成される、ことを特徴とする請求項１８に記載のシステム。
【請求項２３】
前記微細構造体は、基材に均一に分布される、ことを特徴とする請求項１７に記載のシステム。
【請求項２４】
空中で結像するためのシステムであって、
像源、半透鏡及び再帰反射素子を備え、
像源から発せられた光線は、半透鏡を透過して再帰反射素子に照射してから、再帰反射素子で反射された後元の入射経路に沿って逆方向に伝送し、半透鏡により反射されて実像を形成する、システム。
【請求項２５】
空中で結像するためのシステムであって、
像源、半透鏡、第１再帰反射素子、及び第２再帰反射素子を備え、
像源から発せられた光線は、半透鏡により反射されて第１再帰反射素子に照射してから、第１再帰反射素子で反射された後、元の入射経路に沿って逆方向に伝送し、半透鏡を透過して第１実像を形成するのに加えて、
半透鏡を透過して第２再帰反射素子に照射してから、第２再帰反射素子で反射された後、元の入射経路に沿って逆方向に出射し、半透鏡により反射されて第２実像を形成する、システム。
【国際調査報告】
2020513598.tif 000014
2020513598.tif 000015
2020513598.tif 000016
2020513598.tif 000017